(57)【要約】【課題】スイッチ等のデバイス部材またはケーブルを眼鏡のテンプル部またはテンプル部の周辺部分に保持する保持具において、テンプル部の大きさに係わらず、好適にケーブル等を固定することが可能な構成を提供する。【解決手段】保持具１０は、テンプル部を挟持する可撓性素材からなるテンプル挟持部２０を備える。このテンプル挟持部２０は、テンプル部が外側斜め上方向から挿入される開口部２１と、開口部２１から内部空間Ｓ１に挿入されたテンプル部の上面を付勢する上面部２５と、を備える。この保持具１０は、開口部２１に、テンプル部の挿入方向を規定するガイド面２１ａが設けられており、内部空間Ｓ１に、底面部２７と、開口部２１に対向する側壁Ｗにて、ガイド面２１ａに応じた角度で突設した襞部２２ａ〜２２ｃと、が設けられている。なお、襞部２２ａ〜２２ｃは、内部空間Ｓ１の上下方向に複数配列されている。【選択図】図２
0003187852.tif 000002
【実用新案登録請求の範囲】
【請求項１】
所定の操作対象機器に対して予め特定された少なくとも一つの操作を行うためのデバイスを操作デバイス、該操作デバイスのうち少なくとも前記使用者による入力操作を検出する操作検出部を含む部材をデバイス部材とし、該デバイス部材を眼鏡またはヘッドバンド型の着用物におけるテンプル部またはテンプル部の周辺部分にて保持するためのデバイス保持具であって、
前記テンプル部を挟持する可撓性素材からなるテンプル挟持部を備え、
前記テンプル挟持部は、
前記テンプル部が外側斜め上方向から挿入される開口部と、
前記開口部から内部空間に挿入された前記テンプル部の上面を付勢する上面部と、
該テンプル部の下面を付勢する下面付勢手段と、
を有し、
前記開口部には、前記テンプル部の挿入方向を規定するガイド面が設けられており、
前記下面付勢手段は、
当該テンプル挟持部の前記内部空間の底面部と、該内部空間において前記開口部に対向する側壁にて、前記ガイド面に応じた角度で突設した襞部と、を含み、該襞部が、上下方向に複数配列されることによって構成されていることを特徴とするデバイス保持具。
【請求項２】
前記デバイス部材または該デバイス部材に接続されたケーブルを前記テンプル部に沿うように前記テンプル部に固定する固定部を備え、
前記固定部は、前記テンプル挟持部に対して側方外側に配置していることを特徴とする請求項１に記載のデバイス保持具。
【請求項３】
眼鏡またはヘッドバンドを取付対象、該取付対象の着用時に使用者の顔の正面側に配置するように前記取付対象に固定される機器を操作対象機器とし、該操作対象機器に接続されたケーブルを前記取付対象におけるテンプル部にて保持するケーブル保持具であって、
前記テンプル部を挟持する可撓性素材からなるテンプル挟持部を備え、
前記テンプル挟持部は、
前記テンプル部が外側斜め上方向から挿入される開口部と、
前記開口部から内部空間に挿入された前記テンプル部の上面を付勢する上面部と、
該テンプル部の下面を付勢する下面付勢手段と、
を有し、
前記開口部には、前記テンプル部の挿入方向を規定するガイド面が設けられており、
前記下面付勢手段は、
当該テンプル挟持部の前記内部空間の底面部と、該内部空間において前記開口部に対向する側壁にて、前記ガイド面に応じた角度で突設した襞部と、を含み、該襞部が、上下方向に複数配列されることによって構成されていることを特徴とするケーブル保持具。
【考案の詳細な説明】
【技術分野】
【０００１】
本発明は、所定の操作対象機器への使用者による入力操作を検出するデバイス部材を、使用者の眼鏡やヘッドバンド等に取り付けることが可能なデバイス保持具等に関する。
【背景技術】
【０００２】
従来、例えば眼鏡におけるブリッジ部またはブリッジ部の周辺部分を挟持するクリップ部を備える眼鏡着脱式ライトが知られている（例えば、特許文献１参照）。この眼鏡着脱式ライトでは、樹脂製のＯリングによって、クリップ部に連結された光源装置と、携帯バッテリと、を接続するケーブルが、眼鏡のテンプル部に沿うようにこのテンプル部に固定されるようになっている。
【先行技術文献】
【特許文献】
【０００３】
【特許文献１】実用新案登録第３１７１５２７号公報
【考案の概要】
【考案が解決しようとする課題】
【０００４】
しかしながら、上記従来の眼鏡着脱式ライトでは、光源装置への電力供給をオン／オフするスイッチが携帯バッテリに設けられていたため、スイッチの操作性に改善の余地があった。すなわち、携帯バッテリは使用者の衣服のポケットに収容されることが多いため、使用者がポケットを弄って携帯バッテリに設けられたスイッチを探す必要がある等、使用者が直感的にスイッチの位置を認識しがたい構造となっていた。
【０００５】
これに対し、本願出願人は、例えば眼鏡のテンプル部またはテンプル部周辺にスイッチを保持するように構成することで、こうした問題を解決できると考えた。具体的には、例えば、スイッチに直接接続されたケーブルを、上記Ｏリングによって、眼鏡のテンプル部に沿うようにこのテンプル部に固定することが考えられた。
【０００６】
ところで、近年、眼鏡の意匠性は多様化してきており、テンプル部の大きさも様々なものが市場に流通している。このような多様化に対応しようとすると、従来のようにＯリングを用いる構成では、Ｏリングの形状を、使用者が着用する眼鏡のテンプル部の大きさに応じてカスタマイズする必要があることから、製造者や販売者並びに使用者にとって手間がかかる等、製造・販売・使用といった各段階で余計なコストが発生する懸念があった。
【０００７】
本考案は、こうした事情等に鑑みてなされたものであり、スイッチ等のデバイス部材をテンプル部またはテンプル部の周辺部分に保持するデバイス保持具において、テンプル部の大きさに係わらず、好適にデバイス部材を保持することが可能な構成の提供を目的とする。
【０００８】
また、本考案は、光源装置等の操作対象機器に接続されたケーブルをテンプル部に保持するケーブル保持具において、テンプル部の大きさに係わらず、好適にケーブルを保持することが可能な構成の提供を目的とする。
【課題を解決するための手段】
【０００９】
上記目的を達成するためになされた第１の考案は、所定の操作対象機器に対して予め特定された少なくとも一つの操作を行うためのデバイスを操作デバイス、この操作デバイスのうち少なくとも使用者による入力操作を検出する操作検出部を含む部材をデバイス部材とし、そのデバイス部材を眼鏡またはヘッドバンド型の着用物におけるテンプル部またはテンプル部の周辺部分にて保持するためのデバイス保持具である。
【００１０】
なお、ヘッドバンド型の着用物としては、使用者が着用して状態で、左右一対のテンプル部が、使用者の頭部後側において、繋がっているものであってもよいし、連結されるものであってもよいし、開放されたままのものであってもよい。
【００１１】
操作対象機器としては、上記従来の眼鏡着脱式ライトにおける光源装置のように、眼鏡またはヘッドバンド型の着用物を取付対象とするものに限らず、使用者の耳に着用される補聴器や、使用者に携帯されるヘッドホンステレオ、動画や静止画を撮像する撮像装置等、各種の機器が挙げられる。
【００１２】
操作デバイスとしては、上記従来の眼鏡着脱式ライトにおける単純なオン／オフを切り替えるスイッチの他、光量や音量等を調整するスイッチ類等が挙げられる。また、操作デバイスは、使用者による入力操作を検出する操作検出部のみで構成されるものであってもよいし、この操作検出部によって検出された入力操作に応じた操作対象機器に対する制御を行う制御回路をさらに備えて構成されるものであってもよい。つまり、上記制御回路は、操作デバイスが具備していてもよいし、操作対象機器が具備していてもよい。なお、上記スイッチとしては、メカ式のものに限らず、タッチセンサを用いてもよい。
【００１３】
そして、本考案のデバイス保持具は、テンプル部を挟持する可撓性素材からなるテンプル挟持部を備える。具体的には、このテンプル挟持部は、テンプル部が外側斜め上方から挿入される開口部と、開口部から内部空間に挿入されたテンプル部の上面を付勢する上面部と、テンプル部の下面を付勢する下面付勢手段と、を有して構成される。
【００１４】
このうち、開口部には、テンプル部の挿入方向を規定するガイド面が設けられており、下面付勢手段は、テンプル挟持部の内部空間の底面部と、その内部空間において開口部に対向する側壁にて、ガイド面に応じた角度で突設した襞部とを含み、その襞部が上下方向に複数配列されることによって構成されている。
【００１５】
このように構成されたデバイス保持具では、取付対象のテンプル部が開口部を介して外側斜め上方からテンプル挟持部の内部空間に挿入されると、そのテンプル部の形状に応じて、可撓性素材からなるテンプル挟持部全体が弾性変形するとともに、テンプル挟持部の内部空間における複数の襞部と底面部のうち、いずれか一つによってテンプル部の下面が付勢され、テンプル部がテンプル挟持部の内部空間に密着される。
【００１６】
その際、複数の襞部は、それぞれ、テンプル挟持部の内部空間において開口部に対向する側壁にて、ガイド面に応じた角度（内側斜め上方）で突設しているため、テンプル部の下面を付勢する襞部または底面部よりも上方に位置する襞部が、側壁に向かって折り畳まれるように弾性変形することになり、そのテンプル部が内部空間に密着された状態で配置される領域（以下「密着領域」という）が確保される。
【００１７】
したがって、本考案によれば、テンプル部の形状（大きさ）に応じて、テンプル挟持部の内部空間における密着領域が多段階式に変わることが可能になるため、テンプル部の大きさに係わらず、好適にデバイス部材を保持することができる。
【図面の簡単な説明】
【００１８】
【図１】操作機器ユニットの全体構成を例示する図である。
【図２】（ａ）は、デバイス保持具およびケーブル保持具の構成を例示する斜視図であり、（ｂ）は、そのＸ−Ｘ´方向における断面図である。
【図３】（ａ）〜（ｄ）は、テンプル挟持部の内部空間における領域調整を説明するための補足図である。
【考案を実施するための形態】
【００１９】
以下に、本考案の実施形態を図面と共に説明する。
なお、本考案は、下記の実施形態によって何ら限定して解釈されない。また、下記の実施形態の一部を、課題を解決できる限りにおいて省略した態様も本考案の実施形態である。また、実用新案登録請求の範囲に記載した文言のみによって特定される発明の本質を逸脱しない限度において考え得るあらゆる態様も本考案の実施形態である。
【００２０】
＜第１実施形態＞
図１に示すように、第１実施形態の操作機器ユニット１は、操作対象機器としての光源装置３と、操作デバイスとしてのタッチセンサ装置５と、これら装置３，５に必要な電源を供給する携帯バッテリ７とを備えて構成される。
【００２１】
携帯バッテリ７は、使用者の衣服の一部（主にズボンのポケット）に収容可能な大きさのものであり、付属のアダプター（非図示）を介して家庭用電源に接続され、充電できるように構成されている。この携帯バッテリ７には、使用者の衣服の一部（例えばポケットの開口部やワイシャツの合わせ部等）に係止させるためのクリップ７ａや、光源装置３への電力供給をオン／オフするためのバッテリスイッチ７ｂ等が設けられている。
【００２２】
光源装置３は、例えばＬＥＤ光やレーザ光といった所定の光を照射する装置であり、取付対象としての眼鏡におけるブリッジ部またはブリッジ部の周辺部分を挟持するクリップ部３ａに、連結部３ｂを介して上下方向に回動自在に付設されている。詳細な構成については、上記特許文献１を参照されたい。
【００２３】
なお、この光源装置３を携帯バッテリ７に制御回路４を介して接続する第１のケーブル１１は、第１のケーブル固定具６ａ，６ｂによって、眼鏡のフレーム上部またはフレーム上部周辺ならびに眼鏡の一方（例えば左側）のテンプル部に保持される。
【００２４】
第１のケーブル固定具６ａ，６ｂは、標準的な形状（大きさ）の眼鏡のテンプル部と、第１のケーブル１１と、を結束可能な内径を有するリング状の弾性部材であり、第１のケーブル１１を眼鏡の一方（例えば左側）のテンプル部に沿うように固定するために用いられる。
【００２５】
タッチセンサ装置５は、操作検出部としてのタッチセンサ２と、タッチセンサ２からの入力信号に応じて光源装置３のオン／オフ制御を行う制御回路４とを有して構成される。
タッチセンサ２は、使用者の指の幅程度の長さを有する筒状の電極であり、例えば指先と導電膜との間での静電容量の変化を検出することで、使用者による入力操作（タッチ操作）を検出する静電容量方式のものが採用される。
【００２６】
このタッチセンサ２は、デバイス保持部としての複数の第２のケーブル固定具８ａ，８ｂ，８ｃによって、眼鏡のテンプル部またはテンプル部の周辺部分に保持される。
第２のケーブル固定具８ａ，８ｂ，８ｃは、標準的な形状（大きさ）の眼鏡のテンプル部と、タッチセンサ２と制御回路４とを電気的に接続する第２のケーブル１２と、を結束可能な内径を有するリング状の弾性部材であり、第２のケーブル１２を眼鏡の他方（例えば右側）のテンプル部に沿うように固定するために用いられる。
【００２７】
制御回路４は、リレーやトランジスタ等を用いて構成されるスイッチ回路であり、筐体４ａ内に設けられた基板上に配設されている。この筐体４ａは、一方の側面に、第１のケーブル１１を接続するコネクタ（非図示）と第２のケーブル１２を収容するための開口部が形成されており、他方の対向側面に、制御回路４と携帯バッテリ７とを電気的に接続する第３のケーブル１３を収容するための１つの開口部が形成されている。制御回路４は、第２のケーブルを介してタッチセンサ２からの入力信号を受ける毎に、第１のケーブル１１と第３のケーブル１３との電気的な接続状態を導通状態から非導通状態に、あるいは非導通状態から導通状態に切り替える。すなわち、制御回路４は、タッチセンサ２が使用者の指で触れられる毎に、光源装置３の駆動をオンからオフ、あるいはオフからオンに切り替えることにより、光源装置３を点灯させたり、消灯させたりする。
【００２８】
以上の構成によれば、光源装置３が固定された同じ眼鏡において、タッチセンサ２が光源装置３とは離間した位置にて保持されるため、使用者がタッチセンサ２に触れることで、光源装置３の位置がずれる懸念がほぼなくなる。また、使用者は、眼鏡のテンプル部またはテンプル部の周辺部分を触れるような感覚で、タッチセンサ２に触れることが可能となる。よって、光源装置３に対するオン／オフ操作を、光源装置３の本体に触れることなく、且つ直感的に使用者に行わせることができ、光源装置３の操作性を向上させることが可能となる。
【００２９】
なお、筐体４ａ内には、例えば第１のケーブル１１や第２のケーブル１２の筐体４ａ外における長さを調節できるように、ラチェット等を用いた巻取り装置（非図示）が設けられている。このようにケーブル１１，１２を巻き取る装置を設けることにより、使用者の体格や携帯バッテリ７の使用位置に応じて過不足ない長さに調節することが可能となる。
【００３０】
また、筐体４ａ外には、第１のケーブル１１および第２のケーブル１２を結束するスペーサ１５が設けられている。このスペーサ１５は、第１のケーブル１１と第２のケーブル１２との結束位置を変位可能な内径を有する筒状の樹脂部材であり、使用者の背面側（例えば首の裏側）にてケーブル１１，１２が使用者に纏わり付く（ぶらぶら動く）のを抑えるために用いられる。なお、スペーサ１５は、図示されたものに限らず、例えば、第１のケーブル１１を摺動可能なパーツと、第２のケーブル１２を摺動可能なパーツに分かれており、両パーツがマグネット等により接合されるタイプのものであってもよい。
【００３１】
これに加え、スペーサ１５は、自身の重量によって使用者が着用時の眼鏡の前後左右方向における重心を安定させるためにも用いられている。すなわち、使用者の着用時には、使用者の顔の正面側で、主に光源装置３の重量によって眼鏡が下方向（重力方向）に引っ張られる力を受け、主にタッチセンサ２の重量によって眼鏡が右方向（顔幅方向）に傾く力を受けることにより、これら光源装置３およびタッチセンサ２等を含む眼鏡の重心が右下方向にずれる。これに対し、スペーサ１５は、使用者の背面側で、第１のケーブル１１と第２のケーブル１２との結束位置を左方向に変位され得るため、自身の重量によって、眼鏡が下方向に引っ張られる力を作用させるだけでなく、眼鏡が左方向に傾く力を作用させることができる。これにより、スペーサ１５によるケーブル１１，１２の結束位置が適宜調整されることで、使用者の正面側と背面側とにおいて、左右方向の眼鏡への作用力が逆になるため左右方向の重心が安定し、眼鏡のテンプル部の軸方向（前後方向）両端への作用力が共に下方向になるため上下方向の重心が安定する。
【００３２】
このため、操作機器ユニット１によれば、スペーサ１５を具備しない場合と比較して、使用者が着用時の眼鏡の左右方向だけでなく、上下方向における重心が安定することにより、使用感や着用感をより向上させることができる。
【００３３】
＜第２実施形態＞
次に、本考案の第２実施形態について説明する。なお、第２実施形態では、第１実施形態に対し、第１のケーブル固定具６ａ，６ｂの代わりに１ないし複数のケーブル保持具、第２のケーブル固定具８ａ，８ｂ，８ｃの代わりに１ないし複数のデバイス保持具を、それぞれ備える点で異なるだけであるため、その他の構成については説明を省略する。また、本実施形態では、ケーブル保持具およびデバイス保持具の構成が同一であるため、両者を単に「保持具１０」と称して説明する。
【００３４】
すなわち、第２実施形態の保持具１０は、可撓性を有する弾性部材であり、図２（ａ）に示すように、眼鏡のテンプル部を挟持するためのテンプル挟持部２０と、第１のケーブル１１または第２のケーブル１２（以下「ケーブル４０」と総称する）を固定するためのケーブル固定部３０とを備えて構成される。
【００３５】
テンプル挟持部２０は、眼鏡のテンプル部の一部に対して着脱可能に形成されている。すなわち、テンプル挟持部２０は、図２（ｂ）に示すように、外周部分の断面が縦長のＣ形状を有し、その内部空間Ｓ１に眼鏡のテンプル部を挿入するための開口部２１を有している。この開口部２１は、開口を構成する上部２３と下部２４とによって形成され、上部２３が下部２４よりも内部空間Ｓ１側に巻き込みながら突出する配置になっている。この上部２３の下面には、外側斜め上方から眼鏡のテンプル部を挿入するように、その挿入方向を規定するガイド面２１ａが設けられている。
【００３６】
また、テンプル挟持部２０は、その内部空間Ｓ１において、眼鏡のテンプル部の大きさに応じてテンプル部の下面を付勢する部位（以下「下面付勢部」という）の上下方向の位置が調整可能に形成されている。すなわち、テンプル挟持部２０は、その内部空間Ｓ１において開口部２１に対向する側壁Ｗにて、ガイド面２１ａに応じた角度で突設した複数の襞部２２ａ，２２ｂ，２２ｃを有しており、これらの襞部２２ａ，２２ｂ，２２ｃは、側壁Ｗにおいて、それぞれ上下方向に所定間隔を空けて配列されている。
【００３７】
具体的には、テンプル挟持部２０は、これらの襞部２２ａ，２２ｂ，２２ｃの他、開口部２１からガイド面２１ａに沿って内部空間Ｓ１に挿入された眼鏡のテンプル部の上面を付勢する上面部２５と、内部空間Ｓ１の底面部２７とを有している。なお、上面部２５は、眼鏡のテンプル部の大きさに係わらず、このテンプル部の上面を内部空間Ｓ１側に付勢するようになっている。
【００３８】
ここで、図３（ａ）〜（ｄ）は、眼鏡のテンプル部の大きさに応じて下面付勢部の位置が調整される様子を示している。なお、テンプル挟持部２０は、可撓性を有する弾性部材であることから、眼鏡のテンプル部の大きさに応じて、テンプル挟持部２０全体も弾性変形することになるが、以下では、わかりやすく説明するために、このことについてはその説明を省略する。
【００３９】
まず、図３（ａ）に示すように、テンプル挟持部２０は、最も小さい形状のテンプル部を挟持する場合、最も上側に位置する襞部２２ａと開口部２１の上部２３とによって、眼鏡のテンプル部の下面が付勢される。すなわち、これらの襞部２２ａおよび開口部２１の上部２３と上記の上面部２５とによって、内部空間Ｓ１の約４０％以下となる第１の内部空間Ｓ１１が形成され、眼鏡のテンプル部がこの第１の内部空間Ｓ１１に密着される。このように、テンプル部が内部空間に密着された状態で配置される領域（以下「密着領域」という）として、第１の内部空間Ｓ１１が確保される。
【００４０】
次に、図３（ｂ）に示すように、テンプル挟持部２０は、先に説明したものよりも少し大きい形状のテンプル部を挟持する場合、上から２番目に位置する襞部２２ｂと上部２３とによって、眼鏡のテンプル部の下面が付勢される。すなわち、これらの襞部２２ｂおよび開口部２１の上部２３と上記の上面部２５とによって、内部空間Ｓ１の約６０％以下となる第２の内部空間Ｓ１２が形成され、眼鏡のテンプル部がこの第２の内部空間Ｓ１２に密着される。その際、最も上側に位置する襞部２２ａは、第２の内部空間Ｓ１２において、側壁Ｗに向かって上方に折り畳まれるように弾性変形することになり、上記の密着領域として、第２の内部空間Ｓ１２が確保される。
【００４１】
そして、図３（ｃ）に示すように、テンプル挟持部２０は、先に説明したものよりもさらに大きい形状のテンプル部を挟持する場合、上から３番目に位置する襞部２２ｃによって、眼鏡のテンプル部の下面が付勢される。すなわち、この襞部２２ｃと上面部２５とによって、内部空間Ｓ１の約８０％以下となる第３の内部空間Ｓ１３が形成され、眼鏡のテンプル部がこの第３の内部空間Ｓ１３に密着される。その際、これよりも上側に位置する襞部２２ａ，２２ｂは、第３の内部空間Ｓ１３において、側壁Ｗに向かって上方に折り畳まれるように弾性変形することになり、上記の密着領域として、第３の内部空間Ｓ１３が確保される。
【００４２】
なお、図３（ｄ）に示すように、テンプル挟持部２０は、最も大きい形状のテンプル部を挟持する場合、上記の底面部２７によって、眼鏡のテンプル部の下面が付勢される。すなわち、この底面部２７と上面部２５とによって、内部空間Ｓ１が形成され、眼鏡のテンプル部がこの内部空間Ｓ１に密着される。その際、全ての襞部２２ａ，２２ｂ，２２ｃは、内部空間Ｓ１において、側壁Ｗに向かって上方に折り畳まれるように弾性変形することになり、上記の密着領域として、内部空間Ｓ１が確保される。
【００４３】
なお、テンプル挟持部２０は、眼鏡のテンプル部において着用者の肌に触れる側（内側）の部分が側壁Ｗに当接して、テンプル部の一部が内部空間Ｓ１に収容されるように設計されている。
【００４４】
一方、ケーブル固定部３０は、ケーブル４０に密着する内径にて設計された断面Ｃ形状の筒状部材であり、テンプル挟持部２０と一体に成形されている。このケーブル固定部３０は、テンプル挟持部２０の上面部２５および開口部２１の上部２３に対する反対側（側方外側）に配置しており、第１のケーブル１１を眼鏡の一方（例えば左側）のテンプル部に固定（保持）したり、第２のケーブル１２を眼鏡の他方（例えば右側）のテンプル部に固定することで、タッチセンサ２を眼鏡のテンプル部またはテンプル部の周辺部分にて保持したりする。
【００４５】
以上の構成によれば、眼鏡のテンプル部の形状（大きさ）に応じて、テンプル挟持部２０の内部空間Ｓ１における密着領域が多段階式に変わることが可能になるため、テンプル部の大きさに係わらず、好適に第１のケーブル１１や第２のケーブル１２（ひいてはタッチセンサ２）を保持することができる。
【００４６】
また、タッチセンサ２が眼鏡のテンプル部よりも側方外側に配置されるため、このような配置により、使用者が例えばスイッチのタッチ操作等を、少なくとも自身の顔に触れることなく行うことが可能となり、ひいては使用感を向上させることができる。
【００４７】
＜他の実施形態＞
以上、本考案の実施形態について説明したが、本考案は上記実施形態に限定されるものではなく、本考案の要旨を逸脱しない範囲において、様々な態様にて実施することが可能である。
【００４８】
例えば、上記実施形態の保持具１０は、ケーブル４０を固定するように構成されているが、タッチセンサ等のデバイス部材を直接固定するように構成されてもよい。この場合、デバイス部材は、必ずしもケーブル４０に接続されていなくてはならないわけではなく、制御回路４に無線接続されていてもよい。なお、デバイス部材やその取付対象、操作対象機器、操作検出部、操作デバイス等のバリエーションについては、先に説明したので、ここではその説明を省略する。
【符号の説明】
【００４９】
１…操作機器ユニット、２…タッチセンサ、３…光源装置、３ａ…クリップ部、３ｂ…連結部、４…制御回路、４ａ…筐体、５…タッチセンサ装置、６ａ〜６ｂ…第１のケーブル固定具、７…携帯バッテリ、７ａ…クリップ、７ｂ…バッテリスイッチ、８ａ〜８ｃ…第２のケーブル固定具、１０…保持具、１１…第１のケーブル、１２…第２のケーブル、１３…第３のケーブル、１５…スペーサ、２０…テンプル挟持部、２１…開口部、２１ａ…ガイド面、２２ａ〜２２ｃ…襞部、２３…上部、２４…下部、２５…上面部、２７…底面部、３０…ケーブル固定部、４０…ケーブル、Ｓ１…内部空間、Ｓ１１…第１の内部空間、Ｓ１２…第２の内部空間、Ｓ１３…第３の内部空間、Ｗ…側壁。
【図１】
0003187852.tif 000003
【図２】
0003187852.tif 000004
【図３】
0003187852.tif 000005